(57)【要約】【課題】レンズアダプタの装着に際して十分な締結トルクを確保することを可能にしつつ、着脱を容易に行うことができ、しかも従来と同様の外観を有したまま、着脱によって傷や変形等が発生するのを防ぐことができるカメラ装置および当該カメラ装置に用いられるレンズアダプタを提供する。【解決手段】所定規格に対応する第一のレンズユニットが螺合されるレンズ装着部を備えたカメラ装置に、前記第一のレンズユニットとは異なる規格に対応する第二のレンズユニットを装着するためのレンズアダプタ３において、前記カメラ装置側の座面１３と前記第二のレンズユニット側の座面１４とにそれぞれ少なくとも一つの工具挿入穴１５ａ，１５ｂを設ける。そして、前記工具挿入穴１５ａ，１５ｂは、非貫通穴であり、かつ、挿入される所定工具に合致する穴形状を有したものとする。【選択図】図３
2009048130.tif 000002
【特許請求の範囲】
【請求項１】
所定規格に対応する第一のレンズユニットが螺合されるレンズ装着部と、当該レンズ装着部に前記第一のレンズユニットとは異なる規格に対応する第二のレンズユニットを装着するために用いられるレンズアダプタと、を備えたカメラ装置であって、
前記レンズアダプタには、前記カメラ装置側の座面と前記第二のレンズユニット側の座面とにそれぞれ少なくとも一つの工具挿入穴が設けられており、
前記工具挿入穴は、非貫通穴であり、かつ、挿入される所定工具に合致する穴形状を有したものであることを特徴とするカメラ装置。
【請求項２】
前記工具挿入穴には、前記穴形状のエッジ部分が前記座面に面しないようにする逃げ部が形成されている
ことを特徴とする請求項１記載のカメラ装置。
【請求項３】
前記工具挿入穴が正六角穴形状に形成されている
ことを特徴とする請求項１記載のカメラ装置。
【請求項４】
前記工具挿入穴は、前記レンズアダプタの回転中心を挟んで対向する二箇所に形成されている
ことを特徴とする請求項１記載のカメラ装置。
【請求項５】
前記カメラ装置側の座面に設けられた工具挿入穴と、前記第二のレンズユニット側の座面の座面に設けられた工具挿入穴とが、互いに干渉しないように形成位置をずらして配されている
ことを特徴とする請求項１記載のカメラ装置。
【請求項６】
所定規格に対応する第一のレンズユニットが螺合されるレンズ装着部を備えたカメラ装置に、前記第一のレンズユニットとは異なる規格に対応する第二のレンズユニットを装着するために用いられるレンズアダプタであって、
前記カメラ装置側の座面と前記第二のレンズユニット側の座面とにそれぞれ少なくとも一つの工具挿入穴が設けられており、
前記工具挿入穴は、非貫通穴であり、かつ、挿入される所定工具に合致する穴形状を有したものである
ことを特徴とするレンズアダプタ。
【発明の詳細な説明】
【技術分野】
【０００１】
本発明は、レンズ交換可能なカメラ装置および当該カメラ装置に用いられるレンズアダプタに関する。
【背景技術】
【０００２】
近年、防犯カメラ、監視カメラ、または、ＦＡカメラ（産業用カメラ）として、小型のＣＣＤ（Charge Coupled Device）カメラ装置が広く利用されているが、このようなカメラ装置で採用しているレンズマウントの規格としては、ＣマウントおよびＣＳマウントの二種類がある。Ｃマウントでは、レンズのフランジバック（カメラレンズ取付け面からＣＣＤ撮像面までの距離）が１７．５２６ｍｍであり、呼びＵ１のユニファイねじを使用している。一方、ＣＳマウントでは、Ｃマウントと同じ呼びＵ１のユニファイねじを使用している点は同じであるが、レンズのフランジバックが１２．５ｍｍである点で異なる。つまり、ＣマウントとＣＳマウントでは、フランジバックが異なっており、両者の間には約５.０２６ｍｍの差異がある。
【０００３】
このことから、レンズ交換可能なカメラ装置については、一つのカメラ装置で両方のレンズマウントの規格に対応すべく、フランジバック長を調整するための部品であるレンズアダプタ（Ｃ−ＣＳ変換アダプタ）を用いることが知られている（例えば、特許文献１参照）。すなわち、Ｃマウントのレンズユニットはレンズアダプタを介在させてカメラ装置に装着する一方で、ＣＳマウントのレンズユニットについてはレンズアダプタを使用せずにカメラ装置に装着することで、Ｃマウントのレンズユニットがレンズアダプタの厚さ分（具体的には５．０２６ｍｍ）だけ前方に固定されるようにし、これによりＣマウントのレンズユニットの焦点位置とＣＳマウントのカメラ装置におけるＣＣＤ撮像面とを一致させるようにしているのである。
【０００４】
【特許文献１】特開２００２−１４８６９７号公報
【発明の開示】
【発明が解決しようとする課題】
【０００５】
上述したカメラ装置は、振動環境下で使用されることが多い。そのため、レンズユニットまたはレンズアダプタの装着の際には、緩み防止のために、十分な締結トルク（例えば、３９２（４０×９．８）Ｎｍ程度）を確保する必要がある。
【０００６】
しかしながら、従来のレンズアダプタは、人間の手作業で取り付けまたは取り外しを行うことを想定して構成されている。具体的には、レンズアダプタの外周面にローレット加工等が施されているだけのものが一般的である。
【０００７】
したがって、従来のレンズアダプタでは、例えば振動環境下で使用されるカメラ装置に装着して用いる場合に、十分な締結トルクを確保できずに、緩みが生じてしまうおそれがある。このような緩みの発生は、フランジバック長の変化を招いてしまい、撮像結果に悪影響を及ぼすことから、未然に防止すべきである。
【０００８】
その一方で、十分な締結トルクで装着されていると、レンズユニットを交換する必要が生じた場合に、当該レンズアダプタがカメラ装置の側またはレンズユニットの側に固着して人間の手作業では取り外せない、といったことが起こる可能性がある。このような場合にはレンズアダプタの外周面をクランプする工具を用いることが考えられるが、使用する工具によってはレンズアダプタ、カメラ装置またはレンズユニットの外観に傷や変形等が発生するおそれがある。このような傷や変形等の発生は、レンズアダプタ、カメラ装置の体裁(商品価値)またはレンズユニットの体裁（商品価値）を損ねることに繋がる。また、レンズアダプタについては、カメラ装置側の座面またはレンズユニット側の座面に傷や変形等が発生してしまうと、フランジバック長の変化に繋がるおそれがある。したがって、工具使用による傷や変形等の発生についても、未然に防止すべきである。
【０００９】
この点については、レンズアダプタの外周面にローレット加工等を施すのではなく、例えば六角ナットと同様の形状として工具との適合性を向上させ、これにより工具使用による傷や変形等の発生を抑制することも考えられる。ところが、工具との適合性を向上させると、外観上でレンズアダプタが目立ってしまうといったように、カメラ装置やレンズユニット等との外観上での親和性が損なわれることになり、商品価値という観点からは好ましくない。
【００１０】
そこで、本発明は、レンズアダプタの装着に際して十分な締結トルクを確保することを可能にしつつ、着脱を容易に行うことができ、しかも従来と同様の外観を有したまま、着脱によって傷や変形等が発生するのを防ぐことができるカメラ装置および当該カメラ装置に用いられるレンズアダプタを提供することを目的とする。
【課題を解決するための手段】
【００１１】
本発明は、上記目的を達成するために案出されたカメラ装置である。すなわち、所定規格に対応する第一のレンズユニットが螺合されるレンズ装着部と、当該レンズ装着部に前記第一のレンズユニットとは異なる規格に対応する第二のレンズユニットを装着するために用いられるレンズアダプタと、を備えたカメラ装置であって、前記レンズアダプタには、前記カメラ装置側の座面と前記第二のレンズユニット側の座面とにそれぞれ少なくとも一つの工具挿入穴が設けられており、前記工具挿入穴は、非貫通穴であり、かつ、挿入される所定工具に合致する穴形状を有したものであることを特徴とする。
【００１２】
上記構成のカメラ装置では、レンズアダプタに設けられた工具挿入穴が所定工具に合致する穴形状を有していることから、当該工具挿入穴に挿入された状態の所定工具が空回りしてしまうことがなく、当該所定工具を用いてレンズアダプタに対し回転モーメントを与え得るようになる。したがって、レンズアダプタの外周面を手作業で回す場合に比べて、大きな回転モーメント（回転トルク）を、当該レンズアダプタに対して与えることが可能である。しかも、工具挿入穴は非貫通穴であることから、当該工具挿入穴に所定工具を挿入しても、当該所定工具がレンズアダプタを貫通してカメラ装置またはレンズユニットまで達して接触してしまうこともない。
【発明の効果】
【００１３】
本発明によれば、従来よりもレンズアダプタに大きな回転モーメント（回転トルク）を与えることが可能となるので、当該レンズアダプタの装着に際して十分な締結トルクを確保することができ、さらにはそのトルク管理もレンズアダプタの外周面を手作業で回す場合に比べて容易かつ的確に行うことができる。したがって、振動環境下で使用される場合であっても、レンズアダプタに緩みが生じてしまうのを防止することができ、またその場合であっても容易に取り外しを行うことができる。しかも、工具挿入穴はレンズアダプタの座面に形成されるため、当該レンズアダプタの外周面に関しては従来と同様の外観のままとすることが可能である。さらには、工具挿入穴が非貫通穴であるため、当該工具挿入穴に挿入した所定工具が傷や変形等の発生要因となってしまうことがなく、当該所定工具を利用してレンズアダプタの取り付けまたは取り外しを行っても、当該レンズアダプタ、カメラ装置の体裁(商品価値)またはレンズユニットの体裁（商品価値）を損ねてしまったり、当該レンズアダプタにおけるフランジバック長の変化を招いてしまったりすることがない。
【発明を実施するための最良の形態】
【００１４】
以下、図面に基づき本発明に係るカメラ装置およびレンズアダプタについて説明する。
【００１５】
先ず、カメラ装置の概略構成について説明する。
図１はカメラ装置の外観構成例を示す斜視図であり、図２はカメラ装置の要部構成例を示す説明図である。
【００１６】
図１に示すように、カメラ装置１は、カメラ本体２と、レンズアダプタ３と、を備えて構成されている。
【００１７】
カメラ本体２には、撮像素子としての小型ＣＣＤや、これを動作させるための電気回路（駆動回路）等が、搭載されている（ただし、いずれも不図示。）。また、カメラ本体２には、その一端面に、レンズユニットが螺合されるレンズ装着部４が形成されている。さらに詳しくは、ＣＳマウントのレンズユニットを螺合装着すべく、呼びＵ１のユニファイねじを使用したレンズ装着部４が形成されている。
【００１８】
レンズアダプタ３は、Ｃマウントのレンズユニットのカメラ本体２への装着を可能にするために用いられるものである。すなわち、ＣＳマウントのレンズユニットについてはレンズアダプタ３を使用せずに直接レンズ装着部４に装着されるが、Ｃマウントのレンズユニットは当該レンズユニットとレンズ装着部４との間にレンズアダプタ３を介在させた状態でレンズ装着部４に装着されるようになっている。
【００１９】
このようなレンズアダプタ３を用いることで、カメラ装置１は、ＣマウントとＣＳマウントとの両方のレンズマウントの規格に対応することが可能となっている。具体的には、図２に示すように、レンズ装着部４のカメラレンズ取付け面からＣＣＤ撮像面までの距離が、ＣＳマウントのフランジバック長である１２．５ｍｍに合わせて形成されている場合であっても、レンズアダプタ３を介在させることで、その厚さ分（具体的には５．０２６ｍｍ）だけレンズユニットが前方側（ＣＣＤ撮像面から離れる側）に固定されるようにし、これによりＣマウントのレンズユニットの取り付け位置を当該Ｃマウントのフランジバック長である１７．５２６ｍｍに合わせるようにしているのである。
【００２０】
ここで、以上のようなカメラ装置１にて用いられるレンズアダプタ３について、さらに詳しく説明する。
【００２１】
図３は、本発明に係るレンズアダプタの構成例を示す説明図である。
図例のように、レンズアダプタ３は、カメラ本体２のレンズ装着部４に螺合される雄ねじ部１１と、Ｃマウントのレンズユニットが螺合される雌ねじ部１２とが、同軸上に位置する所定厚の円環状に形成されている。そして、雄ねじ部１１の側の面は、カメラ本体２に当接する座面（以下「カメラ側座面」という。）１３となり、雌ねじ部１２の側の面は、Ｃマウントのレンズユニットに当接する座面（以下「レンズ側座面」という。）１４となる。これらカメラ側座面１３とレンズ側座面１４との間の厚さは、ＣマウントとＣＳマウントとのフランジバック長の差異に対応して、５．０２６ｍｍとなるように形成されている。なお、円環の外周面には、従来と同様に、ローレット加工等が施されていてもよい。
【００２２】
また、レンズアダプタ３には、図３（ａ）に示すように、カメラ側座面１３の表面上から、当該カメラ側座面１３から略垂直な方向、すなわちレンズユニットの光軸と平行な方向に沿って、工具挿入穴１５ａが設けられている。この工具挿入穴１５ａは、レンズアダプタ３の回転中心（螺合時における回転中心）を挟んで対向する二箇所に形成されている。
【００２３】
さらに、レンズアダプタ３には、図３（ｂ）に示すように、レンズ側座面１４上にも、工具挿入穴１５ｂが設けられている。すなわち、レンズ側座面１４上においても、当該レンズ側座面１４から略垂直な方向、すなわちレンズユニットの光軸と平行な方向に沿って、工具挿入穴１５ｂが設けられている。この工具挿入穴１５ｂも、レンズアダプタ３の回転中心を挟んで対向する二箇所に形成されている。
【００２４】
これらの工具挿入穴１５ａ，１５ｂは、いずれも、非貫通穴である。すなわち、工具挿入穴１５ａはレンズ側座面１４まで通じておらず、また工具挿入穴１５ｂはカメラ側座面１３まで通じていないものとする。
【００２５】
しかも、これらの工具挿入穴１５ａ，１５ｂは、いずれも、当該工具挿入穴１５ａ，１５ｂに挿入される所定工具に合致する穴形状を有している。所定工具としては、例えば六角棒スパナ（六角棒レンチ、六角レンチまたはヘキサゴンレンチとも呼ばれる。）が挙げられる。その場合に、工具挿入穴１５ａ，１５ｂは、六角棒スパナに合致するように正六角穴形状に形成されているものとする。すなわち、「所定工具に合致する」とは、所定工具が嵌挿された状態で当該所定工具によってレンズアダプタ３に対して回転モーメント（回転トルク）を与え得るように当該所定工具の断面形状と工具挿入穴１５ａ，１５ｂの穴形状とが合致することをいう。
【００２６】
また、各工具挿入穴１５ａ，１５ｂには、所定工具に合致する穴形状のエッジ部分がカメラ側座面１３またはレンズ側座面１４に面しないようにする逃げ部１６が形成されている。すなわち、各工具挿入穴１５ａ，１５ｂは、逃げ部１６の深さ分だけ、カメラ側座面１３またはレンズ側座面１４からザグリ穴状に掘り下げられている。なお、逃げ部１６の形成深さおよび形成径については、特に限定されることなく、工具挿入穴１５ａ，１５ｂの大きさやレンズアダプタ３の全体の大きさ等を考慮して適宜決定すればよい。
【００２７】
また、工具挿入穴１５ａ，１５ｂは、カメラ側座面１３とレンズ側座面１４とのそれぞれに設けられているが、カメラ側座面１３に設けられた工具挿入穴１５ａと、レンズ側座面１４に設けられた工具挿入穴１５ｂとは、互いに干渉しないように形成位置がずらして配されているものとする。具体的には、カメラ側座面１３上の二つの工具挿入穴１５ａを結ぶ線分とレンズ側座面１４上の二つの工具挿入穴１５ｂを結ぶ線分とが直交するようにそれぞれの形成位置がずらして配されており、これによりカメラ側座面１３上の工具挿入穴１５ａとレンズ側座面１４上の工具挿入穴１５ｂとが互いに重なり合わないようになっている。
【００２８】
次に、以上のような構成のレンズアダプタ３について、その取り付けまたは取り外しを行う際の処理動作例を説明する。
図４は、本発明に係るレンズアダプタの取り付け動作または取り外し動作の概要を示す説明図である。
【００２９】
例えば、レンズアダプタ３をカメラ本体２に装着する場合には、レンズアダプタ３の雄ねじ部１１をカメラ本体２のレンズ装着部４に螺合させる。
このとき、図４（ａ）に示すように、レンズアダプタ３のレンズ側座面１４に形成された各工具挿入穴１５ｂには、当該工具挿入穴１５ｂに合致する所定工具である六角棒スパナ２０を挿入する。六角棒スパナ２０を工具挿入穴１５ｂに挿入すると、当該工具挿入穴１５ｂは当該六角棒スパナ２０に合致する正六角穴形状を有していることから、当該工具挿入穴１５ｂに挿入された状態の六角棒スパナ２０が空回りしてしまうことがなく、当該六角棒スパナ２０を用いてレンズアダプタ３に対し回転モーメントを与え得るようになる。
したがって、工具挿入穴１５ｂに六角棒スパナ２０を挿入すれば、レンズアダプタ３の外周面を手作業で回す場合に比べて、大きな回転モーメント（回転トルク）を、当該レンズアダプタ３に対して与えることが可能となる。つまり、レンズアダプタ３のカメラ本体２への装着にあたり、十分な締結トルクを確保することができ、さらにはそのトルク管理もレンズアダプタ３の外周面を手作業で回す場合に比べて容易かつ的確に行うことができる。そのため、例えばカメラ本体２が振動環境下で使用される場合であっても、当該カメラ本体２に装着されたレンズアダプタに緩みが生じてしまうのを防止することができる。
【００３０】
また、このことは、レンズアダプタ３をカメラ本体２に十分な締結トルクを確保して装着した場合であっても、工具挿入穴１５ｂに六角棒スパナ２０を挿入することで、当該レンズアダプタ３を当該カメラ本体２から容易に取り外せることを意味する。すなわち、例えばレンズユニットを交換する必要が生じた場合において、レンズアダプタ３の外周面を手作業で回したのでは取り外せない締結トルクで当該レンズアダプタ３がカメラ本体２に装着されていても、当該外周面をクランプする工具等を用いることなく、工具挿入穴１５ｂに六角棒スパナ２０を挿入して、外周面を手作業で回す場合よりも大きな回転モーメント（回転トルク）をレンズアダプタ３に与えることで、当該レンズアダプタ３を当該カメラ本体２から容易に取り外すことができる。また、外周面をクランプする工具等を用いることがないので、当該工具がレンズアダプタ３の外周面やカメラ本体２の外装面等に傷や変形等を発生させてしまうこともない。
【００３１】
しかも、工具挿入穴１５ｂは非貫通穴であることから、当該工具挿入穴１５ｂに六角棒スパナ２０を挿入しても、当該六角棒スパナ２０がレンズアダプタ３を貫通してカメラ本体２まで達して接触してしまうこともない。すなわち、工具挿入穴１５ｂに挿入した六角棒スパナ２０が傷や変形等の発生要因となってしまうことがなく、当該六角棒スパナ２０を利用してレンズアダプタ３の取り付けまたは取り外しを行っても、当該レンズアダプタ３やカメラ本体２等の体裁（商品価値）を損ねてしまったり、当該レンズアダプタ３におけるフランジバック長の変化を招いてしまったりすることがない。
【００３２】
ところで、レンズアダプタ３には、レンズ側座面１４だけでなくカメラ側座面１３にも全く同様の工具挿入穴１５ａが設けられている。したがって、例えばレンズユニットを交換する必要が生じた場合において、図４（ａ）のようにレンズアダプタ３がカメラ本体２に装着された状態ではなく、図４（ｂ）のようにレンズユニット５に装着された状態にあっても、工具挿入穴１５ａに六角棒スパナ２０を挿入して、外周面を手作業で回す場合よりも大きな回転モーメント（回転トルク）をレンズアダプタ３に与えることで、当該レンズアダプタ３を当該レンズユニット５から容易に取り外すことができ、そのときにレンズアダプタ３の外周面やレンズユニット５の外装面等に傷や変形等を発生させてしまうこともない。
【００３３】
このように、上述した構成のレンズアダプタ３では、当該レンズアダプタ３のカメラ側座面１３およびレンズ側座面１４のそれぞれに光軸方向に沿って工具挿入穴１５ａ，１５ｂが設けられているため、当該工具挿入穴１５ａ，１５ｂに挿入された六角棒スパナ２０を利用することで、レンズアダプタ３の装着に際して十分な締結トルクを確保することを可能にしつつ、その取り付けまたは取り外しを容易に行うことができ、しかも従来と同様の外観を有したまま、取り付けまたは取り外しによって傷や変形等が発生するのを防ぐことができるのである。
【００３４】
また、上述した構成のレンズアダプタ３では、各工具挿入穴１５ａ，１５ｂに逃げ部１６が形成されており、これにより当該工具挿入穴１５ａ，１５ｂの正六角穴形状の部分がカメラ側座面１３またはレンズ側座面１４に面しないようになっている。したがって、例えば六角棒スパナ２０を工具挿入穴１５ａ，１５ｂへ挿入して回転モーメント（回転トルク）を与えることで、当該工具挿入穴１５ａ，１５ｂのエッジ部分に変形が生じた場合であっても、その変形量が逃げ部１６の深さを超えなければ、当該エッジ部分の変形がカメラ側座面１３若しくはレンズ側座面１４またはこれらの間の厚さに悪影響を及ぼしてしまうことがない。つまり、各工具挿入穴１５ａ，１５ｂに逃げ部１６を形成することで、カメラ側座面１３若しくはレンズ側座面１４の面精度またはこれらの間の厚さの寸法精度について、十分に高く保つことが可能となる。
【００３５】
また、上述した構成のレンズアダプタ３では、各工具挿入穴１５ａ，１５ｂが正六角穴形状に形成されている。したがって、特殊工具を要することなく、六角棒スパナ２０という極めて普通に広く利用されている工具、すなわちありふれている工具を利用して、レンズアダプタ３の取り付けまたは取り外しを行うことができるので、汎用性を確保し、また利用者にとっての利便性を向上させる上で、非常に好適なものであるといえる。
ただし、ここでは、六角棒スパナ２０に合致させるべく、工具挿入穴１５ａ，１５ｂが正六角穴形状である場合を例に挙げているが、工具挿入穴１５ａ，１５ｂの穴形状は、これに限定されることはなく、他の形状であっても構わない。他の形状としては、ヘクスローブ穴（六角星形の穴）形状、すりわり（一文字の溝）形状、十字穴形状等が挙げられる。すなわち、工具挿入穴に挿入する所定工具としては、ヘクスローブドライバ、マイナスドライバ、プラスドライバ等を用いることも考えられる。
【００３６】
また、上述した構成のレンズアダプタ３では、カメラ側座面１３上とレンズ側座面１４上のいずれにおいても、工具挿入穴１５ａ，１５ｂが当該レンズアダプタ３の回転中心（螺合時における回転中心）を挟んで対向する二箇所に形成されている。したがって、工具挿入穴１５ａ，１５ｂに挿入した六角棒スパナ２０を利用してレンズアダプタ３に回転モーメント（回転トルク）を与える場合に、その力点が回転中心に対して均等に配分されることになる。つまり、力点が均等に配分されるので、不均等な場合に比べてレンズアダプタ３を円滑に回転させることが容易となり、結果としてレンズアダプタ３の取り付けまたは取り外しを確実に行い得るようになる。
ただし、工具挿入穴１５ａ，１５ｂは、必ずしも対向二箇所に形成されている必要はない。すなわち、少なくとも一つが設けられていれば、所定工具に合致する穴形状であることから、当該一つの工具挿入穴に所定工具を挿入してレンズアダプタ３を回転させることが可能である。また、三箇所以上に形成されていてもよい。
【００３７】
また、上述した構成のレンズアダプタ３では、カメラ側座面１３の工具挿入穴１５ａとレンズ側座面１４の工具挿入穴１５ｂとが互いに干渉しないように形成位置をずらして配されている。したがって、カメラ側座面１３とレンズ側座面１４との間の厚さ（５．０２６ｍｍ）に対して、工具挿入穴１５ａ，１５ｂの穴深さを十分に（例えば３〜４ｍｍ程度）確保すること、すなわち六角棒スパナ２０の挿入深さを十分に確保することが可能となる。つまり、六角棒スパナ２０が工具挿入穴１５ａ，１５ｂに十分に噛み合うので、その六角棒スパナ２０を利用したレンズアダプタ３の回転についても高トルクに対応し得るものとなる。
【００３８】
なお、本実施形態では、本発明の好適な実施具体例を説明したが、本発明はその内容に限定されるものではなく、その要旨を逸脱しない範囲で適宜変更することが可能である。
例えば、本実施形態では、ＣマウントとＣＳマウントとの両方に対応するカメラ装置および当該カメラ装置に用いられるレンズアダプタを例に挙げたが、他のレンズマウントの規格について応用することも可能であることは勿論である。
また、本実施形態で例に挙げた各構成要素の寸法等についても、特に限定されるものではなく、必要に応じて適宜変更することが可能である。
【図面の簡単な説明】
【００３９】
【図１】カメラ装置の外観構成例を示す斜視図である。
【図２】カメラ装置の要部構成例を示す説明図である。
【図３】本発明に係るレンズアダプタの構成例を示す説明図である。
【図４】本発明に係るレンズアダプタの取り付け動作または取り外し動作の概要を示す説明図である。
【符号の説明】
【００４０】
１…カメラ装置、２…カメラ本体、３…レンズアダプタ、４…レンズ装着部、５…レンズユニット、１１…雄ねじ部、１２…雌ねじ部、１３…カメラ側座面、１４…レンズ側座面、１５ａ，１５ｂ…工具挿入穴、１６…逃げ部、２０…六角穴スパナ
【図２】
2009048130.tif 000003
【図１】
2009048130.tif 000004
【図３】
2009048130.tif 000005
【図４】
2009048130.tif 000006